(57)【要約】【課題】フロアプレートと分離したヒール部材を、フロアプレートの前面に当接させ、簡単な操作で着脱できるようにしたドラムペダルにおけるヒール着脱装置を得ること。【解決手段】フロアプレート１とフットボード２を枢支Ｐさせたドラムペダル本体ａと、前記フロアプレート１の基部に着脱自在のヒール部材ｂとより成り、ドラムペダル本体ａの基端とヒール部材ｂの基端との当接面に着脱機構Ｘを設けて成ることを特徴とするドラムペダルにおけるヒール着脱装置。【選択図】図２
2016071170.tif 000002
【特許請求の範囲】
【請求項１】
フロアプレートとフットボードを枢支させたドラムペダル本体と、前記フロアプレートの基部に着脱自在のヒール部材とより成り、
ドラムペダル本体の基端とヒール部材の基端との当接面に着脱機構を設けて成ることを特徴とするドラムペダルにおけるヒール着脱装置。
【請求項２】
着脱機構は、ヒール部材には底部にフロアプレート側に突出したフォーク状の腕部を備え、かつ該腕部の上方に挿込用間隙を設けると共に、前記フロアプレートの前端には突出部を設けて成り、前記ドラムペダル本体のフロアプレートの突出部はヒール部材の挿込用間隙に挿脱自在とし、ヒール部材の腕部と、ドラムペダル本体のフロアプレートとの当接面には緊締用止ビスを着脱させて成ることを特徴とする請求項１記載のドラムペダルにおけるヒール着脱装置。
【請求項３】
緊締用止ビスは、ヒール部材の腕部の通孔と、ドラムペダル本体のフロアプレートに穿った通孔を一致させて螺合着脱できるようにして成ることを特徴とする請求項２記載のドラムペダルにおけるヒール着脱装置。
【請求項４】
着脱機構は、ヒール部材とフロアプレートとの当接面に磁気吸着機構を備えて成ることを特徴とする請求項１記載のドラムペダルにおけるヒール着脱装置。
【請求項５】
着脱機構は、ヒール部材とフロアプレートの当接面に弾性フック状の鈎片と、この弾性フック状の鈎片と係入できる機構を備えて成ることを特徴とする請求項１記載のドラムペダルにおけるヒール着脱装置。
【発明の詳細な説明】
【技術分野】
【０００１】
本発明は、バスドラムを押打する押打棒操作用のドラムペダルにおけるヒール着脱装置に関する。
【背景技術】
【０００２】
従来製品においては、ヒール構造を持つ製品と、持たない製品の２種類が存在するが、１台の製品でヒール部分を着脱することはできなかった。従来製品から考えて、ユーザーによってはヒール部分を不要とする場合と、ヒール部分を必要とする場合とが考えられるが、ユーザーはヒールの無い製品か、ヒールのある製品のどちらかを選ぶしか選択肢が無かった。
【０００３】
これに対し、単にフットプレートの長さを変更できるものがあった（例えば、特許文献１及び特許文献２参照）。
【先行技術文献】
【特許文献】
【０００４】
【特許文献１】米国特許第７，６２６，１０７  Ｂ１
【特許文献２】特開２００３−２５５９２７号公報
【発明の概要】
【発明が解決しようとする課題】
【０００５】
いずれの特許文献も、ヒールとしての安定性を保持するためにペダルフレームへ取り付ける構成であって、１台の製品でヒール部分を着脱して双方の機能を求めるユーザーを、１台の製品で満足させることができないという不都合があった。
【０００６】
本発明は、叙上の点に着目して成されたもので、ヒール部材の基端とフロアプレートの基端との当接面に簡単に着脱できる着脱機構を設けて足踏みの長さを可変して演奏の状況を変更できるようにしたドラムペダルにおけるヒール着脱装置を得ることを特徴とする。
【課題を解決するための手段】
【０００７】
この発明は下記の構成を備えることにより上記課題を解決できるものである。
【０００８】
（１）フロアプレートとフットボードを枢支させたドラムペダル本体と、前記フロアプレートの基部に着脱自在のヒール部材とより成り、
ドラムペダル本体の基端とヒール部材の基端との当接面に着脱機構を設けて成ることを特徴とするドラムペダルにおけるヒール着脱装置。
【０００９】
（２）着脱機構は、ヒール部材には底部にフロアプレート側に突出したフォーク状の腕部を備え、かつ該腕部の上方に挿込用間隙を設けると共に、前記フロアプレートの前端には突出部を設けて成り、前記ドラムペダル本体のフロアプレートの突出部はヒール部材の挿込用間隙に挿脱自在とし、ヒール部材の腕部と、ドラムペダル本体のフロアプレートとの当接面には緊締用止ビスを着脱させて成ることを特徴とする前記（１）記載のドラムペダルにおけるヒール着脱装置。
【００１０】
（３）緊締用止ビスは、ヒール部材の腕部の通孔と、ドラムペダル本体のフロアプレートに穿った通孔を一致させて螺合着脱できるようにして成ることを特徴とする前記（２）記載のドラムペダルにおけるヒール着脱装置。
【００１１】
（４）着脱機構は、ヒール部材とフロアプレートとの当接面に磁気吸着機構を備えて成ることを特徴とする前記（１）記載のドラムペダルにおけるヒール着脱装置。
【００１２】
（５）着脱機構は、ヒール部材とフロアプレートの当接面に弾性フック状の鈎片と、この弾性フック状の鈎片と係入できる機構を備えて成ることを特徴とする前記（１）記載のドラムペダルにおけるヒール着脱装置。
【発明の効果】
【００１３】
本発明によれば、枢軸で回動するドラムペダルをフロアプレートとフットボードだけで形成したり、ヒール部材をフロアプレートに簡単に装着して足の踵に適合した長尺な構造に変更できる。
【００１４】
しかも、単一の楽器で二通りの形状変化を行わせて演奏の好みに合わせた奏法をすることができる。
【図面の簡単な説明】
【００１５】
【図１】本発明に係るドラムベア孔におけるヒール着脱装置の一実施例を示すヒール部材とドラムペダル本体とを結合させた状態を示すもので、（ａ）同上の部分平面図、（ｂ）同上の側面図、（ｃ）同上の底面図
【図２】図１の分解状態を示すもので、（ａ）同上の部分平面図、（ｂ）同上の側面図、（ｃ）同上の底面図
【図３】図１のＡ−Ａ線拡大断面図
【図４】着脱機構を磁気吸着構成として示す本発明の他の実施例を示す要部の斜視図
【図５】着脱機構を機械的係脱機構を示す本発明の他の実施例を示す要部の斜視図
【発明を実施するための形態】
【００１６】
以下本発明を実施するための最良の形態を、実施例により詳しく説明する。
【実施例】
【００１７】
図面について説明すれば、１はフロアプレート、２はフットボードで、枢軸Ｐを支点として足踏み操作で回動するドラムペダル本体ａを備える。ｂは前記ドラムペダル本体ａのフロアプレート１に接続されるヒール部材を示す。Ｘは、前記ドラムペダル本体ａとヒール部材ｂとの接離固着できる着脱機構を示し、図１ないし図３は以下の構成を備える。
【００１８】
３は、前記ヒール部材ｂの底でフロアプレート１側に突出したフォーク状の二条の腕部で、該腕部３の上方に挿込用間隙４が設けてある。５は、前記フロアプレート１の下部に突出させた突出部、６は前記腕部３を抱持できるＥ字状の弾性板で、弾性板６の間隙部７にヒール部材ｂの腕部３を係入でき、前記突出部５はヒール部材ｂの挿込用間隙４内に係入できる。
【００１９】
８１，８１……は、ヒール部材ｂの腕部３の基部側に穿った小孔、８２，８２は、前記腕部３の二条の突出側に穿った通孔、９１，９１……は、前記腕部３の基部側の小孔８１，８１……に挿通してヒール部材ｂに固着させるためのビス、９２，９２は、前記腕部３のフロアプレート１側に穿った通孔８２，８２に挿通したヒール部材ｂを通孔１０，１０を介してフロアプレート１側に螺着させることができる緊締用止ビスを示す。１１は、ヒール部材ａの裏面で、腕部３の基部を被着するゴム製板を示す。
【００２０】
叙上の構成に基づいてドラムペダル本体ａとヒール部材ｂの作用について説明する。
【００２１】
通常の場合、ヒール部材ｂはドラムペダル本体ａとは取外された離れた状態で演奏することができる。しかし、足の踵をドラムペダル本体ａより離して演奏したい場合、ヒール部材ｂをドラムペダル本体ａのフロアプレート１を接続して足踏み操作を快適に演奏したい意向が高まることが生ずる。
【００２２】
この場合、演奏者は直ちにヒール部材ｂを取り出し、ヒール部材ｂの挿込用間隙４を突出部５に挿込固定し、併せてヒール部材ｂの腕部３をフロアプレート１のＥ字状の弾性板６の隙間内に挿通し、両者の通孔８２，８２，１０，１０を一致させ、緊締用止ビス９２，９２を挿通させ、フロアプレート１と確固に接合できる。従って演奏者は、長さを可変して好みの演奏を行うことができる。
【００２３】
次に、上述の着脱機構Ｘを、マグネットを利用した磁気吸着機構として示す図４に基づいて他の実施例を示す。ヒール部材ｂ１とドラムペダル本体ａ１のフロアプレート１ａとの相対向接合箇所に、磁気の吸着板１２と帯磁性体１３とを設けて、吸着力を用いて接離させるものである。
【００２４】
さらに、図５に基づいて着脱機構Ｘの他の実施例を説明する。この実施例は、ヒール部材ｂ２と、ドラムペダル本体ａ２のフロアプレート１ｂと、当接側に弾性フック状の鈎片１４を備える面と、この鈎片１４と係脱できる鈎止孔１５を備えた面とを備え、必要に応じて着脱させて利用できるものである。
【００２５】
以上、３種類の着脱機構Ｘを説明したが、その他種々の構成を用いて好みの着脱機構を形成できる。
【符号の説明】
【００２６】
ａ，ａ１，ａ２    ドラムペダル本体
ｂ，ｂ１，ｂ２    ヒール部材
１，１ａ，１ｂ    フロアプレート
２    フットボード
３    腕部
４    挿込用間隙
５    突出部
６    弾性板
７    間隙部
８１  小孔
８２  通孔
９１  ビス
９２  緊締用止ビス
１０  通孔
１１  ゴム製板
１２  吸着板
１３  帯磁性体
１４  鈎片
１５  鈎止孔
Ｐ    枢軸
Ｘ    着脱機構
【図１】
2016071170.tif 000003
【図２】
2016071170.tif 000004
【図３】
2016071170.tif 000005
【図４】
2016071170.tif 000006
【図５】
2016071170.tif 000007